【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
血管を拡張又は再疎通させるための装置であって：
外部表面、及び内部表面によって形成される内部室を有する膨張部材からなるバルーンカテーテルと；
前記バルーン内に一体に形成され、前記膨張部材が血管内で膨張した際に血管の内部に集中力を加えるよう構成された、前記膨張部材に沿う少なくとも１つの領域と、から構成される装置。
【請求項２】
前記膨張部材がバルーンである、請求項１に記載の装置。
【請求項３】
前記領域が前記バルーンの長手軸に沿って延びる、請求項２に記載の装置。
【請求項４】
前記領域が前記バルーンの半径方向の軸に沿って延びる、請求項２に記載の装置。
【請求項５】
前記領域が前記バルーンの長手軸及び半径方向の軸に沿って延びる、請求項２に記載の装置。
【請求項６】
前記領域が、前記バルーンの近接端末と遠隔端末の間に長手方向に配置される前記バルーンの作用長さに沿って延びる、請求項１に記載の装置。
【請求項７】
前記領域が連続する長さを有する、請求項１に記載の装置。
【請求項８】
前記領域が断続する長さを有する、請求項１に記載の装置。
【請求項９】
前記バルーンが少なくとも１つのウィングを含む、請求項２に記載の装置。
【請求項１０】
前記ウィングが前記バルーンと同一材料からモールド成形される、請求項９に記載の装置。
【請求項１１】
前記バルーンが複数のウィングを含む、請求項９に記載の装置。
【請求項１２】
前記少なくとも１つのウィングが、前記バルーンの膨張時に前記バルーンよりもより半径方向外側に延びる形状を有する、請求項９に記載の装置。
【請求項１３】
前記少なくとも１つのウィングが前記バルーンの他の部分よりも相対的に高い硬さを有する部分を含む、請求項９に記載の装置。
【請求項１４】
前記ウィングがポケットを有する、請求項９に記載の装置。
【請求項１５】
前記ポケットが、前記バルーンの内部室からシールされている、請求項１４に記載の装置。
【請求項１６】
前記ウィングのポケットが、その内部に配置された集中要素を含む、請求項１４に記載の装置。
【請求項１７】
前記集中要素がブレードである、請求項１６に記載の装置。
【請求項１８】
前記集中要素がワイヤである、請求項１６に記載の装置。
【請求項１９】
前記集中要素がチューブである、請求項１６に記載の装置。
【請求項２０】
前記集中要素が連続する長さを有する、請求項１６に記載の装置。
【請求項２１】
前記集中要素が断続する長さを有する、請求項１６に記載の装置。
【請求項２２】
前記集中要素が連続する長さを有する、請求項１７に記載の装置。
【請求項２３】
前記集中要素が断続する長さを有する、請求項１７に記載の装置。
【請求項２４】
前記領域が集中要素を含む、請求項１に記載の装置。
【請求項２５】
前記集中要素が前記膨張部材の内部室内に配置されている、請求項２４に記載の装置。
【請求項２６】
前記集中要素が前記膨張部材の内部室内に固着されている、請求項２５に記載の装置。
【請求項２７】
前記集中要素が前記内部室内に着脱可能に配置されている、請求項２５に記載の装置。
【請求項２８】
前記集中要素が前記内部表面に着脱可能に取り付けられている、請求項２５に記載の装置。
【請求項２９】
前記集中要素が前記ウィング内に配置されている、請求項２４に記載の装置。
【請求項３０】
前記集中要素が前記ウィングの内部表面に固着されている、請求項２４に記載の装置。
【請求項３１】
前記集中要素が前記ウィングの対向する内部表面の間に着脱可能に配置されている、請求項２４に記載の装置。
【請求項３２】
前記集中要素が前記ウィングの内部表面に着脱可能に取り付けられている、請求項２４に記載の装置。
【請求項３３】
前記集中要素が前記膨張部材と共に膨張するよう構成されている、請求項２４に記載の装置。
【請求項３４】
前記領域の外部表面が前記膨張部材と同一の材料から形成されている、請求項２５に記載の装置。
【請求項３５】
前記集中要素が前記バルーン材料から少なくとも部分的に突出している、請求項２４に記載の装置。
【請求項３６】
血管を拡張又は再疎通させるための装置であって：
外部表面、及び内部表面によって形成される内部室を有し、少なくとも一部がポリマ材料によって形成された膨張部材からなるバルーンカテーテルと；
前記膨張部材と同一又は相応する材料で形成され、前記膨張部材が血管内で膨張した際に血管の内部に集中力を加えるよう構成された、前記膨張部材に沿った少なくとも１つの領域と、から構成される装置。
【請求項３７】
前記膨張部材がバルーンである、請求項３６に記載の装置。
【請求項３８】
前記領域が前記バルーンの長手軸に沿って延びる、請求項３７に記載の装置。
【請求項３９】
前記領域が前記バルーンの半径方向の軸に沿って延びる、請求項３７に記載の装置。
【請求項４０】
前記領域が前記バルーンの長手軸及び半径方向の軸に沿って延びる、請求項３７に記載の装置。
【請求項４１】
前記領域が、前記バルーンの近接端末と遠隔端末の間に長手方向に配置される前記バルーンの作用長さに沿って延びる、請求項３６に記載の装置。
【請求項４２】
前記領域が連続する長さを有する、請求項３６に記載の装置。
【請求項４３】
前記領域が断続する長さを有する、請求項３６に記載の装置。
【請求項４４】
前記バルーンが少なくとも１つのウィングを含む、請求項３７に記載の装置。
【請求項４５】
前記ウィングが前記バルーンと同一材料からモールド成形される、請求項４４に記載の装置。
【請求項４６】
前記バルーンが複数のウィングを含む、請求項４４に記載の装置。
【請求項４７】
前記少なくとも１つのウィングが、前記バルーンの膨張時に前記バルーンよりもより半径方向外側に延びる形状を有する、請求項４４に記載の装置。
【請求項４８】
前記少なくとも１つのウィングが前記バルーンの他の部分よりも相対的に高い硬さを有する部分を含む、請求項４４に記載の装置。
【請求項４９】
前記ウィングがポケットを有する、請求項４４に記載の装置。
【請求項５０】
前記ポケットが、前記バルーンの内部室からシールされている、請求項４９に記載の装置。
【請求項５１】
前記ウィングのポケットが、その内部に配置された集中要素を含む、請求項４９に記載の装置。
【請求項５２】
前記集中要素がブレードである、請求項５１に記載の装置。
【請求項５３】
前記集中要素がワイヤである、請求項５１に記載の装置。
【請求項５４】
前記集中要素がチューブである、請求項５１に記載の装置。
【請求項５５】
前記集中要素が連続する長さを有する、請求項５２に記載の装置。
【請求項５６】
前記集中要素が断続する長さを有する、請求項５２に記載の装置。
【請求項５７】
前記集中要素が連続する長さを有する、請求項５３に記載の装置。
【請求項５８】
前記集中要素が断続する長さを有する、請求項５３に記載の装置。
【請求項５９】
前記領域が集中要素を含む、請求項３６に記載の装置。
【請求項６０】
前記集中要素が前記膨張部材の内部室内に配置されている、請求項５９に記載の装置。
【請求項６１】
前記集中要素が前記膨張部材の内部室内に固着されている、請求項５９に記載の装置。
【請求項６２】
前記集中要素が前記内部室内に着脱可能に配置されている、請求項５９に記載の装置。
【請求項６３】
前記集中要素が前記内部表面に着脱可能に取り付けられている、請求項５９に記載の装置。
【請求項６４】
前記集中要素が前記ウィング内に配置されている、請求項５９に記載の装置。
【請求項６５】
前記集中要素が前記ウィングの内部表面に固着されている、請求項５９に記載の装置。
【請求項６６】
前記集中要素が前記ウィングの対向する内部表面の間に着脱可能に配置されている、請求項５９に記載の装置。
【請求項６７】
前記集中要素が前記ウィングの内部表面に着脱可能に取り付けられている、請求項５９に記載の装置。
【請求項６８】
前記集中要素が前記膨張部材と共に膨張するよう構成されている、請求項５９に記載の装置。
【請求項６９】
前記領域の外部表面が前記膨張部材と同一の材料から形成されている、請求項５９に記載の装置。
【請求項７０】
前記集中要素が前記バルーン材料から少なくとも部分的に突出している、請求項５９に記載の装置。